(57)【特許請求の範囲】
【請求項１】
前後方向に傾倒自在な楽器用譜面板の取付構造において、譜面板の下端を回動自在に枢支する回動軸と、前記譜面板を起立する方向にのみ回転可能に保持する一方向クラッチとを有し、前記一方向クラッチと前記回動軸とが使用角度範囲内において結合状態となることで前記譜面板を使用角度範囲内において無段階で任意の角度位置に係止して保持し、最大回動角度まで譜面板が回動すると前記結合状態が解除されて初期位置への復帰を可能にする角度調整機構を備え、
前記譜面板を初期位置に戻すと一方向クラッチが再び働き回動軸に結合することを特徴とする楽器用譜面板の取付構造。
【請求項２】
請求項１記載の楽器用譜面板の取付構造において、角度調整機構は、前記一方向クラッチと回動軸とを結合させる駆動手段と、譜面板の回動角度を検出するリミットスイッチを備えていることを特徴とする楽器用譜面板の取付構造。
【発明の詳細な説明】
【０００１】
【発明の属する技術分野】
本発明は、ピアノ、電子ピアノ等の譜面板に用いて好適な楽器用譜面板の取付構造に関する。
【０００２】
【従来の技術】
ピアノ、電子ピアノ、オルガン等の鍵盤楽器、特にグランドピアノ、スライド式の鍵盤蓋を備えた電子ピアノ、キーボードなどは、楽器本体または譜面台の上に譜面板を折畳み自在に設け、この譜面板に譜面を立て掛けるようにしている。
【０００３】
図８はグランドピアノに設けられている従来の譜面板の取付構造を示す側面図で、符号１で示すものは譜面台、２は譜面板、３は譜面板２を支持する支え部材である。譜面板２は譜面台１の上面に下端が蝶番４を介して前後方向に傾倒自在に枢支されて配設され、不使用時には支え部材３を裏面に沿って折畳み、二点鎖線で示すように譜面台１の上面に沿って収納されている。支え部材３は、上端が譜面板２の裏面に設けた蝶番５に枢支されることにより折畳み自在に取付けられており、譜面板２を立て掛け使用するときは、後方に回動されて下端が譜面台１の上面に設けた複数の係止溝６のうちのいずれか１つに係入することにより、譜面板２を後方に所要角度傾斜した状態に支持する。譜面板２の傾斜角度を変えるときは、支え部材３を前方または後方に回動させて下端を他の係止溝６に係入させる。なお、７は支え部材３の傾動角度を制限するストッパ、８は譜面支え、９は譜面である。
【０００４】
【発明が解決しようとする課題】
しかしながら、上記した従来の譜面板の取付構造は、支え部材３と係止溝６とによって譜面板２の角度設定を行うものであるため、譜面板２の角度を段階的にしか調整することができず、演奏者の好みに合わせて無段階に調整することができないという問題があった。また、譜面板２を使用状態から元の水平な不使用状態に戻すときには、手を譜面板２の後にまわして支え部材３を折畳み、譜面板２の裏面に接触させた状態を保持しつつ譜面板２を後方に倒して譜面台１上に載置する必要があるため、特に手の短い子供などでは操作し難く、また譜面板２が大きくて重い場合は後方に急激に回動落下して支え部材３を押さえている手を譜面台１と譜面板２との間で挟むおそれがある。さらに、ピアノを側方から見たとき、譜面板２を後方から支持している支え部材３が視認されるため、デザイン的に好ましくない。
【０００５】
本発明は上記した従来の問題を解決するためになされたもので、その目的とするところは、譜面板の角度を無段階で調整でき、また不使用状態に戻す操作が簡単かつ容易で手を挟んだりするおそれがなく、デザイン的にすっきりした楽器用譜面板の取付構造を提供することにある。
【０００６】
【課題を解決するための手段】
上記目的を達成するために第１の発明は、前後方向に傾倒自在な楽器用譜面板の取付構造において、譜面板の下端を回動自在に枢支する回動軸と、前記譜面板を起立する方向にのみ回転可能に保持する一方向クラッチとを有し、前記一方向クラッチと前記回動軸とが使用角度範囲内において結合状態となることで前記譜面板を使用角度範囲内において無段階で任意の角度位置に係止して保持し、最大回動角度まで譜面板が回動すると前記結合状態が解除されて初期位置への復帰を可能にする角度調整機構を備え、前記譜面板を初期位置に戻すと一方向クラッチが再び働き回動軸に結合するものである。
この発明において、譜面板を初期位置に戻すと一方向クラッチが働くので、角度調整機構による角度調整を可能にする。つまり、一方向クラッチは譜面板が初期位置に戻るとその時点で回動軸に結合するので、初期位置に戻す途中で手を離しても譜面板をロックすることはない。
【０００７】
第２の発明は、上記第１の発明において、角度調整機構は、前記一方向クラッチと回動軸とを結合させる駆動手段と、譜面板の回動角度を検出するリミットスイッチを備えているものである。この発明において、角度調整機構は譜面板の下端を回動自在に枢支し、譜面板の角度を無段階で調整する。したがって、譜面板を後方から支える部材や、これを係止する係止溝が不要となる。リミットスイッチは、譜面板の回動角度を検出し、最大角度回動すると、その信号により駆動手段が一方向クラッチと回動軸との結合状態を解除し、譜面板を一方向クラッチに対して自由にする。したがって、結合状態が解除された後は、手で譜面板を後方に倒していくと初期位置に戻すことができる。最大角度回動した後、譜面板を初期位置に復帰させると、リミットスイッチは譜面板の復帰を検出し、その信号により駆動手段が一方向クラッチと回動軸を元の連結状態に戻し、譜面板を一方向（起立する方向）にのみ回動可能にする。一方向クラッチとしては、ローラ、カム、スプリング等を用いた市販品、またはオイルを封入し弁を用いてオイルの流れを制御する市販品等を用いることができる。
【０００９】
【発明の実施の形態】
以下、本発明を図面に示す実施の形態に基づいて詳細に説明する。
図１は本発明に係る楽器用譜面板の取付構造をグランドピアノの譜面板に適用した一実施の形態を示す正面図、図２は図１のII−II線断面図、図３は図１のIII −III 線拡大断面図、図４は譜面板の回動角度を示す図である。なお、従来技術の欄で示した構成部材と同等のものについては、同一符号をもって示し、その説明を適宜省略する。これらの図において、譜面板２は、譜面台１の上面に下端が２つの蝶番４と１つの角度調整機構１１によって前後方向に回動自在に枢支されて配設されている。
【００１０】
前記蝶番４は、従来のものと同じトルクの小さい蝶番、またはトルクの大きい蝶番が用いられ、譜面板２の下端両端部を枢支している。蝶番４の数は、２つに限らず、譜面板２の大きさに応じて３つ、４つあるいはそれ以上用いてもよい。
【００１１】
前記角度調整機構１１は、前記譜面板２の下端中央部を回動自在に枢支し、譜面板２を使用角度範囲内（例えばα＝０°〜８０°）において任意の角度位置にロックし、最大回動角度（例えば、β＝１００〜１１０°）まで譜面板２が回動するとロック状態を解除し初期位置への復帰を可能にするもので、ケース１２と、回動軸１３と、前記ケース１２内に収納され前記回動軸１３に結合可能な一方向クラッチおよび回動軸１３と一方向クラッチの結合を解除するロック解除機構（図示せず）等で構成されている。
【００１２】
前記ケース１２は、譜面台１上に固定されている。回動軸１３は、一端が前記ケース１２から突出し、その突出端部が譜面板２の裏面下端部に固定した軸受部材１５の孔１６に回転を阻止されて嵌合し、前記蝶番４とともに譜面板２を回動自在に支持している。
【００１３】
前記一方向クラッチは、前記譜面板２の後方への転倒を防止する転倒防止装置として用いられるもので、前記回動軸１３との結合状態において譜面板２を起立する方向にのみ回転可能な状態に保持して後方への回動を阻止し、非結合状態において譜面板２を前後方向に回動自在とする。また、この一方向クラッチは譜面板２の使用角度範囲（α）内において回動軸１３との結合状態を保持し、譜面板２が最大回動角度（β）回動すると、ロック解除機構によって結合状態が解除される。したがって、手で譜面板２を後方に倒していくと初期位置に戻すことができる。また、譜面板２が最大角度（β）回動した後、元の初期位置に復帰すると、一方向クラッチが回動軸１３と結合し、角度調整を可能にする。つまり、一方向クラッチは譜面板が初期位置に戻るとその時点で回動軸１３に結合するので、初期位置に戻す途中で手を離しても譜面板２をロックすることはない。ただし、手で押せば後に倒れ自重によっては急激に後方にバタンと倒れない程度、つまり手を添えていなければ動かない程度のトルクがかかっている。
【００１４】
このような一方向クラッチとしては、ローラ、カム、スプリング等を用いた従来周知の市販品、またはオイルを封入し弁を用いてオイルの流れを制御する従来周知の市販品を用いることができる。一方向クラッチと回動軸１３との結合状態を解除するロック解除機構としては、カム等が用いられる。なお、譜面板２は最大回動角度βまで回動すると、ストッパによってそれ以上の回動を阻止されるため、前方へ転倒することはない。
【００１５】
次に、このような譜面板の取付構造において、角度調整機構１１の動作を図４に基づいて説明する。
譜面板２は初期位置状態（図４の実線で示す状態）において、譜面台１上に略水平に載置されている。
【００１６】
この状態において、一方向クラッチ１２は回動軸１３と結合しているため、譜面板２を起立する方向のみ回動可能にしている。
【００１７】
譜面板２を使用するときは手で譜面板２を前方に回動させ、Ａ〜Ｂ間の使用角度（α）範囲内の任意の角度位置で手を離せばよい。このとき、一方向クラッチと回動軸１３は結合状態を保持しているため、譜面板２から手を離すと、譜面板２をその角度位置にロックし、譜面板２の後方への転倒を防止する。
【００１８】
使用後、譜面板２を元の初期位置に復帰させるときは、譜面板２を手で前方に最大角度（β）回動させる。譜面板２が最大角度回動してＣの位置まで来ると、ロック解除機構が働いて一方向クラッチと回動軸１３との結合状態を解除し、譜面板２を一方向クラッチに対して自由な状態にする。このとき、一方向クラッチまたはロック解除機構は適宜な音を発することにより、一方向クラッチと回動軸１３との結合状態を解除したことを知らせる。結合状態を解除した後は、手で譜面板２を後方に回動させていくと、初期位置に復帰させることができ、またその途中で手を離しても譜面板２が自重によって後方に急激に倒れることはない。
【００１９】
このような譜面板の取付構造においては、角度調整機構１１によって譜面板２を演奏者の好みに合わせて任意の角度位置に、言い換えれば無段階に調整することができ、また譜面板２を後方から支える部材を必要としないため、譜面板２の後方空間がデザイン的にすっきりしたシンプルな取付構造とすることができる。
【００２０】
また、譜面板２を譜面台１上に収納した不使用状態から譜面台１上に通常の使用角度範囲内で起立させた状態、またはその逆の状態にするときは、手で譜面板２を把持して前方へ引き起こしたり、後方へ倒したりするだけでよいので、特に譜面板２を使用状態から元の不使用状態に戻すとき、手を譜面板２の後方にまわす必要がなく、譜面板２の戻す操作が著しく簡単かつ容易である。また、その途中で手を離しても譜面板２が後方に急激に倒れることもなく安全である。
【００２１】
また、角度調整機構１１は譜面板２の最大角度以上の回動を完全に阻止しているので、最大角度傾けても前に倒れるようなことはない。
【００２２】
さらに、角度調整機構１１は、譜面板２を起立させたり元の初期位置に復帰させるとき、雑音を出さずに静粛にかつ滑らかに動作し、演奏者さらには周囲の聴衆に不快感を与えることがない。
【００２３】
図５は本発明の他の実施の形態を示す斜視図、図６はリミットスイッチの側面図である。
【００２４】
この実施の形態は、蝶番を用いる代わりに角度調整機構２１を２つ用いて譜面板２の両端部を前後方向に回動可能に保持し、使用角度範囲内において任意の角度位置にロックするように構成したものである。角度調整機構２１は、譜面板２を支持する回動軸１３と、この回動軸１３に対して結合可能な一方向クラッチ（図示せず）と、この一方向クラッチと回動軸１３との結合状態を解除する図示を省略したソレノイド等の駆動手段と、譜面板２の回動角度を検出しその信号によって前記駆動手段を動作させるリミットスイッチ２２等で構成されている。一方向クラッチは、上記した実施の形態と同様に、ローラ、カム、スプリング等を用いた従来周知の市販品、またはオイルを封入し弁を用いてオイルの流れを制御する従来周知の市販品を用いることができる。
【００２５】
前記リミットスイッチ２２は、図６に示すように作動方向が直交する方向の第１、第２の接触部２３Ａ，２３Ｂを有し、前記譜面台１上に設置されている。
【００２６】
次に、このような譜面板の取付構造において、角度調整機構２１の動作を図７に基づいて説明する。
図７（ａ）は譜面板の初期状態（不使用状態）を示す図、（ｂ）は使用角度範囲内の任意の角度に設定した状態を示す図、（ｃ）はロック状態を解除するときの状態を示す図である。
図７（ａ）に示す初期位置状態において、譜面板２は譜面台１上に略水平に載置されている。この状態において、譜面板２の裏面が第２の接触部２３Ｂを押圧してリミットスイッチ２２を動作させ、これによって一方向クラッチと回動軸１３を結合させている。このため、譜面板２は起立する方向の回動のみを可能にしている。
【００２７】
譜面板２を使用するときは手で譜面板２を前方に回動させ、使用角度範囲内の任意の角度位置で手を離せばよい。譜面板２から手を離すと、一方向クラッチが譜面板２をその角度でロックし、譜面板２の後方への転倒を防止する。図７（ｂ）はこの状態を示す。
【００２８】
使用後、譜面板２を元の初期位置に復帰させるときは、図７（ｃ）に示すように譜面板２を手で前方に最大角度回動させる。譜面板２が最大角度回動すると、譜面板２の下端部が第１の接触部２３Ａを押圧してリミットスイッチ２２を作動させ、その信号によって駆動手段を動作させることにより一方向スイッチと回動軸１３の結合状態を解除する。つまり、譜面板２のロック状態を解除し、譜面板２を一方向クラッチに対して自由な状態にする。このとき、一方向スイッチまたはリミットスイッチ２２は、適宜な音を発することにより、一方向クラッチと回動軸１３との結合状態を解除したことを知らせる。結合状態を解除した後は、手で譜面板２を後方に回動させていくと、初期位置に復帰させることができ、またその途中で手を離しても譜面板２が急激に後方にバタンと倒れることがない。
【００２９】
このような譜面板の取付構造においても、譜面板２の角度を演奏者の好みに合わせて無段階に調整することができ、上記した実施の形態と全く同様な効果が得られる。
【００３０】
なお、上記した実施の形態においては、いずれもグランドピアノの譜面板２に適用した例を示したが、本発明はこれに何等限定されるものではなく、電子楽器やオルガン等の鍵盤楽器の譜面板にもそのまま適用することが可能である。
【００３１】
【発明の効果】
以上説明したように本発明に係る楽器用譜面板の取付構造によれば、譜面板の角度を演奏者の好みに合わせて自由に設定することができ、また譜面板を支える部材を必要としないので、譜面板の角度設定操作および初期位置への復帰操作が容易で、譜面板の後方空間がデザイン的にすっきりしたシンプルな取付構造とすることがきる。
【図面の簡単な説明】
【図１】  本発明に係る譜面板の取付構造をグランドピアノの譜面板に適用した一実施の形態を示す正面図である。
【図２】  図１のII−II線断面図である。
【図３】  図１のIII −III 線拡大断面図である。
【図４】  譜面板の回動角度を示す図である。
【図５】  本発明の他の実施の形態を示す斜視図である。
【図６】  リミットスイッチを示す図である。
【図７】  （ａ）は譜面板の初期状態（不使用状態）を示す図、（ｂ）は使用角度範囲内の任意の角度に設定した状態を示す図、（ｃ）はロック状態を解除するときの状態を示す図である。
【図８】  従来の譜面板の取付構造を示す側面図である。
【符号の説明】
１…譜面台、２…譜面板、３…支え部材、４…蝶番、１１…角度調整機構、１２…ケース、１３…回動軸、２１…角度調整機構、２２…リミットスイッチ、２３Ａ…第１の接触部、２３Ｂ…第２の接触部。
【図１】
0004783982.tif 000002
【図２】
0004783982.tif 000003
【図３】
0004783982.tif 000004
【図４】
0004783982.tif 000005
【図５】
0004783982.tif 000006
【図６】
0004783982.tif 000007
【図７】
0004783982.tif 000008
【図８】
0004783982.tif 000009